(57)【特許請求の範囲】
【請求項１】
表面に縦横の目地溝を介して縦横に複数個の無模様凸状ブロックと模様付き凸状ブロックとをランダムに配列し、全凸状ブロックの表面は略同一レベルにあり、上記模様付き凸状ブロックの表面には深さは３mm以下に設定されている凹模様が付されており、その上からゴムロールによる塗装または印刷が施されており、
さらに、板横方向両端部においては完全ブロックと半割りブロックとが交互に配置され、同じ行の両端に完全ブロックが位置した時には該完全ブロックは相互異種ブロックとされ、同じ行の両端に半割りブロックが配置されている場合には該半割りブロックは相互同種ブロックとされており、
さらに、上記無模様凸状ブロックと模様付き凸状ブロックの個数比率は７５：２５〜５５：４５の範囲にあり、横方向で該模様付き凸状ブロックは隣接しないように配置されており、板縦方向両縁部の無模様凸状ブロックと模様付き凸状ブロックの配列は相互に異なるように設定されていることを特徴とする建築板。
【発明の詳細な説明】
【０００１】
【産業上の利用分野】
本発明はブリック調意匠が施された建築板に関するものであり、該建築板は例えば外壁材に使用される。
【０００２】
【従来の技術】
従来、この種の建築板は例えば木質繊維で補強したセメント板等から構成されており、該建築板表面には目地溝を介して縦横に複数個の凸状ブロックを配置したブリック調意匠が施され、各凸状ブロック表面には微細な凹凸模様が付されている。そして該建築板表面には塗装または印刷が施されている。このような塗装または印刷にはスポンジロールが使用される場合があるが、該スポンジロールは軟質であるので塗装または印刷が目地溝等の内部にまで施されて目地溝等が目立たなくなってしまうおそれがあり、この方法は余り望ましい方法ではない。そこでスポンジロールよりも硬いゴムロールを使用して凸状ブロックの表面のみ塗装または印刷することも行われている。
【０００３】
【発明が解決しようとする課題】
このような凹凸模様が表面に付されている建築板の表面には該凹凸模様の凸部分が突出しており、このような表面に図６に示すようにゴムロール(7) によって矢印方向に塗装または印刷を施すと、ゴムロール(7) の表面が該凸状ブロック(21)の凹凸模様(14)の凸部分(14A) に追従せず、非塗装または非印刷部分(15)いわゆる塗装ヌケ部分が形成され、建築板の外観が劣化すると云う問題点がある。
【０００４】
【課題を解決するための手段】
本発明は上記従来の課題を解決し、ゴムロールを用いて建築板表面を塗装または印刷しても、塗装ヌケ部分が形成されないようにするための手段として、表面に縦横（短尺方向と長尺方向）の目地溝(4A,4B)を介して縦横に複数個の無模様凸状ブロック(2A)と模様付き凸状ブロック(2B)とをランダムに配列し、全凸状ブロック(2A,2B)の表面は略同一レベルにあり、上記模様付き凸状ブロック(2B)の表面には深さは３mm以下に設定されている凹模様(3)が付されており、その上からゴムロール(7)による塗装または印刷が施されており、さらに、板横（長手）方向両端部においては完全ブロック(2A,2B)と半割りブロック(2A1,2B1)とが交互に配置され、同じ行の両端に完全ブロック(2A,2B)が位置した時には該完全ブロック(2A,2B)は相互異種ブロックとされ、同じ行の両端に半割りブロック(2A1,2B1)が配置されている場合には該半割りブロック(2A1,2B1)は相互同種ブロックとされており、さらに、上記無模様凸状ブロック(2A)と模様付き凸状ブロック(2B)の個数比率は７５：２５〜５５：４５の範囲にあり、横方向で該模様付き凸状ブロックは隣接しないように配置されており、板縦方向両縁部の無模様凸状ブロックと模様付き凸状ブロックの配列は相互に異なるように設定されている建築板(1)を提供するものである。
上記構成では全凸状ブロック(2A,2B)の表面が略同一レベルＬにあって表面模様の凸部分に突出部分が存在しないから、塗装または印刷時にゴムロール(7)の表面が凸部に追従せず、非塗装または非印刷部分が形成されてしまうような問題点が解消される。該凹模様(3) の深さは３mm以下に設定されており、このように設定すれば、凹模様(3)の底面にまで塗装または印刷が施し易くなる。また板横（長手）方向両端部において完全ブロック(2A,2B) と半割りブロック(2A1,2B1)とが交互に配置され、同じ行の両端に完全ブロック(2A,2B)が位置した時には該完全ブロック(2A,2B) は相互異種ブロックとされ、同じ行の両端に半割りブロック(2A1,2B1) が配置されている場合には該半割りブロック(2A1,2B1)は相互同種ブロックとされていると、該建築板(1) を横に配列した時、接合部の境界において同じ行の隣接する完全ブロック(2A,2B) は相互異種ブロックの配列であるため配列パターンに違和感が生じないし、また同じ行の隣接する半割りブロック(2A1,2B1)は相互同種ブロックであるため完全ブロック(2A,2B) 状の配列となり、全体に完全ブロック(2A,2B) による配列意匠パターンと認識され、しかもランダム性が損なわれない。
【０００５】
【発明の実施の形態】
本発明を図１〜図５に示す一実施例によって説明すれば、建築板(1)は例えば木片、木質パルプ、木粉等の木質繊維を補強材として混合したセメント板、石膏板、ケイ酸カルシウム板等の水硬性無機材料の板である。該建築板(1) の表面には縦横の目地溝(4A,4B)を介して複数個の無模様凸状ブロック(2A)と模様付き凸状ブロック(2B)とが縦横に配列されている。該無模様凸状ブロック(2A)と模様付き凸状ブロック(2B)とは略同形状（矩形）、同寸法に設定されており、配列様式は例えば横（長手方向）６〜８行、縦（短尺方向）８〜１２列に設定される。そして図１および図２に示すように凸状ブロック(2A,2B)は縦方向に重ならないように一段ごとに食い違ったれんが積み状に配置されており、板横（長手）方向両端部において完全ブロック(2A,2B) と半割りブロック(2A1,2B1)とが交互に配置され、同じ行の両端に完全ブロック(2A,2B)が位置した時には該完全ブロック(2A,2B) は相互異種ブロックとされ、同じ行の両端に半割りブロック(2A1,2B1)が配置されている場合には該半割りブロック(2A1,2B1)は相互同種ブロックとされている。図３に示すように全凸状ブロック(2A,2B) の表面は略同一レベルＬにあり、模様付き凸状ブロック(2B)には虫喰い状凹模様(3) が形成されている。該凹模様(3) の深さは３mm以下とする。該凹模様(3) の深さをこのように設定すれば、凹模様(3) の底面にまで塗装または印刷が施され易くなる。
【０００６】
上記無模様凸状ブロック(2A)と模様付き凸状ブロック(2B)の個数比率は７５：２５〜５５：４５の範囲にあり、横（長手）方向で該模様付き凸状ブロック(2B)は隣接しないように配置されている。このような凸状ブロック(2A,2B) の配置によってバランスのとれた適度なランダム性のある意匠が付与される。また板横（長手）方向両端部(1A,1B) の配列様式は同一にすることによって建築板(1) 相互を縦横に配列した時、横方向の境界において違和感が生じないようにし、また板縦（短手）方向両縁部(1C,1D) の無模様凸状ブロック(2A)と模様付き凸状ブロック(2B)の配列は相互に異なるように設定され、建築板(1) 相互を縦横に配列施工した時、接合部の境界において列相互の意匠の重複がなく意匠パターンの違和感がなくなるようにする。更に上記建築板(1) の縦方向の一方縁部には上実(5A)が形成され、他方の縁部には下実(5B)が形成され、一対の建築板(1,1) を縦に接続して施工する場合には、図４に示すように一方の建築板(1) の下実(5B)上にコーキング材(6) を介して他方の建築板(1) の上実(5A)を重ねて施工することが出来る。
【０００７】
本実施例では各行に必ず一個以上模様付き凸状ブロック(2B)が配されているが、本発明では全凸状ブロック(2A,2B) 表面が同一レベルＬにあるから模様付き凸状ブロック(2B)が存在しない行があっても空虚感を与えず、したがって凸状ブロック(2A,2B) の配列即ち表面模様の自由度が大きくなる効果がある。
【０００８】
上記建築板(1) を製造するには、まずセメントを主体とする原板を製造し、該原板の表面に塗装または印刷を施して建築板とする。
上記原板を製造するには、木質パルプ繊維とセメントとその他の無機物質とを混合したスラリーを抄造・脱水成形したウェットマットに表面凸状ブロック(2A,2B) 模様に対応したネガ模様を付した型面を有する型板を押圧プレスし、その後養生硬化せしめるか、あるいは表面模様に対応したネガ模様を付した型板上に水硬性無機材料粉末と木質繊維を主体とする原料混合物を散布してマットをフォーミングし、該マットを水分存在下に圧締養生硬化せしめる。
【０００９】
該建築板(1) の表面には図５に示すようにゴムロール(7) によって塗装または印刷が施されるが、全凸状ブロック(2A,2B) の表面は前記したように同一レベルＬにあり、凸部が存在しないから塗装または印刷時にゴムロール(7) の表面が凸部に追従せず、非塗装または非印刷部分、即ち塗装ヌケ部分が形成されてしまうような問題点が解消される。また凹模様(3) の深さを３mm以下に設定すると、凹模様(3) の底面にまで塗装または印刷が施され易くなる。
【００１０】
上記原板は所定寸法に切断され、切出された各建築板(1) の一方の縁部を切削加工して下実(5B)を形成し、更に他方の縁部を切削加工して上実(5A)を形成する。
【００１１】
【発明の効果】
本発明においては、適度なバランスとランダム性を有し、非塗装または非印刷部分が存在しない好ましい意匠を有する建築板が得られる。
【図面の簡単な説明】
図１〜図５は本発明の一実施例を示すものである。
【図１】部分平面図
【図２】全体平面図
【図３】断面図
【図４】接続部分説明図
【図５】塗装状態説明図
【図６】従来の塗装状態説明図
【符号の説明】
1       建築板
2A      無模様凸状ブロック（完全ブロック）
2B      模様付き凸状ブロック（完全ブロック）
2A1     無模様凸状半割りブロック
2B1     模様付き凸状半割りブロック
3       凹模様
4A      縦目地溝
4B      横目地溝
7       ゴムロール
Ｌ      レベル
【図１】
0004033444.tif 000002
【図２】
0004033444.tif 000003
【図３】
0004033444.tif 000004
【図４】
0004033444.tif 000005
【図５】
0004033444.tif 000006
【図６】
0004033444.tif 000007